(57)【要約】【課題】ノズル内部の残留物の掻き出し操作を容易化することができるエアゾール容器用ノズルを提供する。【解決手段】エアゾール容器用ノズル1において、ステム54に接続される接続部21と、接続部21に連設され前後方向に延びる筒状部22とを有するノズル本体20と、筒状部22前方領域の外周面上を前後方向にスライド可能なスライド壁部31を有し、ノズル本体20に着脱可能に設けられた掻き出し部材30と、筒状部22後方領域の外周面上と筒状部22前方領域の外周面上との間を前後方向にスライド可能な押出し壁部42を有し、前方への押圧により押出し壁部42を介してスライド壁部31を前方にスライドさせる押出し部材40とを設け、掻き出し部材30には、スライド壁部31に連設され筒状部22の内周側を後方へ延びる連結壁部32と、連結壁部32に連設され筒状部22内側の後端面を覆う掻き出し壁部33とを設ける。【選択図】図１
2014234191.tif 000002
【特許請求の範囲】
【請求項１】
エアゾール容器のマウンティングカップから立ち上がるステムに接続されて、押下げにより内容物を前方の噴射口から噴射するエアゾール容器用ノズルにおいて、
前記ステムに接続される接続部と、該接続部に連設され前後方向に延びる筒状部とを有するノズル本体と、
前記ノズル本体の筒状部前方領域の外周面上を前後方向にスライド可能なスライド壁部を有し、前記ノズル本体に着脱可能に設けられた掻き出し部材と、
前記ノズル本体の筒状部後方領域の外周面上と筒状部前方領域の外周面上との間を前後方向にスライド可能な押出し壁部を有し、前方への押圧により前記押出し壁部を介して前記掻き出し部材のスライド壁部を前方にスライドさせる押出し部材とを備え、
前記掻き出し部材は、前記スライド壁部に連設され前記ノズル本体の筒状部の内周側を後方へ延びる連結壁部と、該連結壁部に連設され前記ノズル本体の筒状部内側の後端面を覆う掻き出し壁部とを有する
ことを特徴とするエアゾール容器用ノズル。
【請求項２】
前記押出し部材は、前記押出し壁部が前記ノズル本体の筒状部前方領域の外周面上にスライドした状態で、ノズル本体の押下げを防止するストッパ部を有する、請求項１に記載のエアゾール容器用ノズル。
【請求項３】
前記ストッパ部は、前記押出し壁部から垂設され、マウンティングカップの上面に当接可能な突起体である、請求項２に記載のエアゾール容器用ノズル。
【請求項４】
前記エアゾール容器は、マウンティングカップに装着されるカバー部材を備えるとともに該カバー部材には、ノズル本体の上方にノズルに当接して該ノズルを押下げる操作部がヒンジ部を介して設けられたものであり、
前記ストッパ部は、前記押出し壁部から立設されるとともに、前記押出し壁部が前記ノズル本体の筒状部後方領域の外周面上にスライドした状態では前記操作部の押圧により該操作部と当接可能である一方、前記押出し壁部が前記ノズル本体の筒状部前方領域の外周面上にスライドした状態では前記操作部を押圧しても該操作部と当接しない突起である、請求項２に記載のエアゾール容器用ノズル。
【発明の詳細な説明】
【技術分野】
【０００１】
本発明は、エアゾール容器のステムに接続されて、押下げにより内容物を噴射するエアゾール容器用ノズルに関し、特に、ノズル内部の残留物の掻き出し操作を容易化しようとするものである。
【背景技術】
【０００２】
従来、この種のエアゾール容器用ノズルとしては、１つの容器のマウンティングカップから立ち上がる１つのステムに接続されるシングル式エアゾール容器用ノズルや、２つの容器のマウンティングカップからそれぞれ１つずつ立ち上がる総計２つのステムに接続される２連式エアゾール容器用ノズルや、１つの容器のマウンティングカップから立ち上がる２つのステムに接続されるエアゾール容器用ノズルなどが知られている。
【０００３】
このような従来のエアゾール容器用ノズルでは、内容物の噴射後にノズルの流路内に残留した内容物を洗浄するに際し、このような残留物をノズルの流路内から掻き出す機構を設け、洗浄し易くすることが行われている。
【０００４】
例えば、特許文献１には、段落［００８９］等に、エアゾール容器用ノズルにおいて、櫛歯部に繋がるノズルの流路内の残留物を掻き出す際に、ノズルを分割し、当該分割によって流路の一端を開放し、当該開放部から、流路内に設置された掻き出し部材を引き抜くことで、残留物を掻き出し部材によって流路内から掻き出すようにしたものが記載されている。
【先行技術文献】
【特許文献】
【０００５】
【特許文献１】特許第５１１３４０９号公報
【発明の概要】
【発明が解決しようとする課題】
【０００６】
しかしながら、特許文献１のエアゾール容器用ノズルでは、残留物を掻き出すために、ノズルを分割し、掻き出し部材を流路内から引き抜く必要があり、掻き出し操作が煩雑であった。
【０００７】
本発明は、従来のこのような問題を解決するため開発されたもので、ノズル内部の残留物の掻き出し操作を容易化することができるエアゾール容器用ノズルを提供することを目的とする。
【課題を解決するための手段】
【０００８】
すなわち、本発明の要旨構成は以下のとおりである。
１．エアゾール容器のマウンティングカップから立ち上がるステムに接続されて、押下げにより内容物を前方の噴射口から噴射するエアゾール容器用ノズルにおいて、
前記ステムに接続される接続部と、該接続部に連設され前後方向に延びる筒状部とを有するノズル本体と、
前記ノズル本体の筒状部前方領域の外周面上を前後方向にスライド可能なスライド壁部を有し、前記ノズル本体に着脱可能に設けられた掻き出し部材と、
前記ノズル本体の筒状部後方領域の外周面上と筒状部前方領域の外周面上との間を前後方向にスライド可能な押出し壁部を有し、前方への押圧により前記押出し壁部を介して前記掻き出し部材のスライド壁部を前方にスライドさせる押出し部材とを備え、
前記掻き出し部材は、前記スライド壁部に連設され前記ノズル本体の筒状部の内周側を後方へ延びる連結壁部と、該連結壁部に連設され前記ノズル本体の筒状部内側の後端面を覆う掻き出し壁部とを有する
ことを特徴とするエアゾール容器用ノズル。
【０００９】
２．前記押出し部材は、前記押出し壁部が前記ノズル本体の筒状部前方領域の外周面上にスライドした状態で、ノズル本体の押下げを防止するストッパ部を有する、前記１のエアゾール容器用ノズル。
【００１０】
３．前記ストッパ部は、前記押出し壁部から垂設され、マウンティングカップの上面に当接可能な突起体である、前記２のエアゾール容器用ノズル。
【００１１】
４．前記エアゾール容器は、マウンティングカップに装着されるカバー部材を備えるとともに該カバー部材には、ノズル本体の上方にノズルに当接して該ノズルを押下げる操作部がヒンジ部を介して設けられたものであり、
前記ストッパ部は、前記押出し壁部から立設されるとともに、前記押出し壁部が前記ノズル本体の筒状部後方領域の外周面上にスライドした状態では前記操作部の押圧により該操作部と当接可能である一方、前記押出し壁部が前記ノズル本体の筒状部前方領域の外周面上にスライドした状態では前記操作部を押圧しても該操作部と当接しない突起である、前記２のエアゾール容器用ノズル。
【発明の効果】
【００１２】
本発明によれば、掻き出し部材のスライド壁部をノズル本体の筒状部前方領域の外周面上を後方にスライドさせることで掻き出し部材をノズル本体に装着し、押出し部材の押出し壁部をノズル本体の筒状部後方領域の外周面上にスライドさせた状態で、ノズル本体の押下げにより内容物を噴射することができる一方で、押出し部材を前方へ押圧して、押出し壁部をノズル本体の筒状部前方領域の外周面上までスライドさせることにより、押出し壁部と掻き出し部材のスライド壁部とを介して掻き出し部材を前方に押出すことができるため、掻き出し部材をノズル本体から容易に取り外すことができる。また、掻き出し部材の前方への押出し時には、スライド壁部に連結壁部を介して連設された掻き出し壁部によって、流路内に残留した内容物を前方へ掻き出すことができる。
【００１３】
したがって、本発明によれば、ノズル内部の残留物の掻き出し操作を容易化することができるエアゾール容器用ノズルを提供することができる。
【図面の簡単な説明】
【００１４】
【図１】本発明の一実施形態に係るエアゾール容器用ノズルをエアゾール容器に装着した状態で示す一部断面正面図である。
【図２】図１のエアゾール容器用ノズルをエアゾール容器に装着した状態で示す一部断面右側面図である。
【図３】図１のエアゾール容器用ノズルをエアゾール容器に装着した状態で示す一部断面背面図である。
【図４】図１のエアゾール容器用ノズルのノズル本体を示す図であり、（ａ）は正面図、（ｂ）は右側面図、（ｃ）は背面図、（ｄ）は平面図である。
【図５】図１のエアゾール容器用ノズルの掻き出し部材を示す図であり、（ａ）は正面図、（ｂ）は右側面図、（ｃ）は背面図、（ｄ）は平面図である。
【図６】図１のエアゾール容器用ノズルの押出し部材を示す図であり、（ａ）は正面図、（ｂ）は右側面図、（ｃ）は背面図、（ｄ）は平面図である。
【図７】（ａ）は図１のＡ−Ａに沿う半断面図であり、（ｂ）は押出し部材を前方へスライドさせた状態を（ａ）に準じて示す図である。
【図８】図１のエアゾール容器用ノズルをエアゾール容器に装着した状態で示す一部断面右側面図であり、押し出し部材を操作して掻き出し部材をノズル本体から取り外した状態を示す。
【図９】本発明の他の実施形態に係るエアゾール容器用ノズルをエアゾール容器に装着した状態で示す一部断面正面図である。
【図１０】図９のエアゾール容器用ノズルをエアゾール容器に装着した状態で示す一部断面右側面図である。
【図１１】図９のエアゾール容器用ノズルのノズル本体を示す図であり、（ａ）は正面図、（ｂ）は右側面図、（ｃ）は背面図、（ｄ）は平面図である。
【図１２】図９のエアゾール容器用ノズルの掻き出し部材を示す図であり、（ａ）は正面図、（ｂ）は右側面図、（ｃ）は背面図、（ｄ）は平面図である。
【図１３】図９のエアゾール容器用ノズルの押出し部材を示す図であり、（ａ）は正面図、（ｂ）は右側面図、（ｃ）は背面図、（ｄ）は平面図である。
【図１４】操作部を押圧してノズルを押下げた状態を図１０に準じて示す図である。
【図１５】（ａ）は図９のＢ−Ｂに沿う半断面図であり、（ｂ）は押出し部材を前方へスライドさせた状態を（ａ）に準じて示す図である。
【図１６】押し出し部材を操作して掻き出し部材をノズル本体から取り外した状態を図１０に準じて示す図である。
【発明を実施するための形態】
【００１５】
以下、図１〜図８を参照して、本発明の一実施形態に係るエアゾール容器用ノズルについて詳細に例示説明する。
なお、本明細書において前方とは、ノズルの噴射口側であり、後方とは、ノズルの軸線に沿って前方とは反対側である。また、側方とは、前方から後方に向って容器を見る際の左右方向である。
【００１６】
図１〜図３に示すように、本例のエアゾール容器用ノズル１は、ノズル本体２０と、掻き出し部材３０と、押出し部材４０とからなり、１つの容器のマウンティングカップから立ち上がる２つのステムを備えるエアゾール容器５０に装着して用いられるものである。また、エアゾール容器５０には、カバー部材６０が装着されている。
【００１７】
エアゾール容器５０は、例えば金属製の有底筒状の容器本体５１に、例えば金属製のマウンティングカップ５２の外縁を巻き締めして（巻き締めした部位が環状縁部５３となる）固着したものであり、内側には２種類の内容物が別個に収容されている。また、エアゾール容器５０は、それぞれの内容物の収容空間につながる総計２つのステム５４を有していて、マウンティングカップ５２の中央部には、平面視にてトラック状となる突起部５５が、２つのステム５４を一括りにして突出している。なお、突起部５５の平面視での形状は、矩形状でも楕円状でもよい。
【００１８】
また、本例ではカバー部材６０は、エアゾール容器５０の外周面と略同径の外形を有する周壁６１を備えている。周壁６１の上側部分は、前後方向に切り欠きを有するドーム状をなすとともに、その切り欠き部分には、２つのステム５４を露出させる開口６２を残してマウンティングカップ５２に被さる下壁６３を備えている。周壁６１及び下壁６３の内側には、環状縁部５３の周面下縁に着脱可能に係止される外壁６４が垂設されている。外壁６２の内側には、環状縁部５３の上面に当接する内壁６５が周壁６１及び下壁６３から垂設されている。
【００１９】
また、内壁６５の内側には、突起部５５の長手方向の両側面に当接する位置決め壁６６が垂設されている。なお、開口６２は、平面視トラック状をなしている。周壁６１の切り欠き部分の左右には、それぞれ、周壁６１から側壁６７が垂設されている。各側壁６７には、ステム５４の側方に抜け止め溝６７ａが設けられている。
【００２０】
エアゾール容器５０のマウンティングカップ５２から立ち上がる２つのステム５４には、ノズル本体２０の２つの接続部２１が接続されている。各接続部２１は円筒状をなし、その下端縁には側方に延びる抜け止め突起２１ａが形成されている。抜け止め突起２１ａは、前述したカバー部材６０の抜け止め溝６７ａ内に配置され、ノズル本体２０のエアゾール容器５０からの脱落を防止している。
【００２１】
また、接続部２１の上端は、図４（ａ）〜図４（ｄ）に示すように、前後方向に延びる筒状部２２に連設されている。接続部２１の内側には、ステムに嵌合する嵌合部２１ｂから上方に延びるとともに筒状部２２の内周側に繋がるステム側連通路２１ｃが形成されている。
【００２２】
筒状部２２は、前後方向に延びる断面円形状の周壁部２２ａと、周壁部２２ａの後端を塞ぐ後端壁部２２ｂとからなっている。後端壁部２２ｂの前面は、筒状部２２内側の後端面を形成している。周壁部２２ａの内周側には、周壁部２２ａの上端から下端にわたって上下方向に延びる中央縦壁部２２ｃが形成されている。中央縦壁部２２ｃは、後端壁部２２ｂに至るまで後方へ突出している。
【００２３】
また、後端壁部２２ｂの後方には、周壁部２２ａと同一径の断面円形状のガイド壁部２３が連設されている。ガイド壁部２３には、上下端及び左右端の４箇にそれぞれ、前端から後端にわたって前後方向に延びるスリット２３ａが形成されている。
【００２４】
図１〜図３に示したように、ノズル本体２０の前側部分には、ノズル本体２０に着脱可能に設けられた掻き出し部材３０が装着されている。掻き出し部材３０は、図５（ａ）〜図５（ｄ）に示すように、図４に示したノズル本体２０の周壁部２２ａの外周面に対して同一径又は僅かに大きい内径の断面円形状のスライド壁部３１を有する。すなわち、スライド壁部３１は、ノズル本体２０の周壁部２２ａ（又は筒状部２２）の前方領域の外周面上を前後方向にスライド可能である。
【００２５】
スライド壁部３１の内周側には、左右方向中央を挟んで互いに離間し、それぞれ上下方向及び前後方向に延びる一対の矩形板状の連結壁部３２が設けられている。一対の連結壁部３２間の隙間３２ａは、ノズル本体２０の中央縦壁部２２ｃの厚みにと同一か、僅かに大きい。連結壁部３２の上下方向長さは、ノズル本体２０の筒状部２２の内径より僅かに小さい。各連結壁部３２は、上下端縁の前端がそれぞれ連結片３２ｂを介してスライド壁部３１に連設されている。連結壁部３２の連結片３２ｂより後方の領域の前後方向長さは、ノズル本体２０の筒状部２２の内側の前後方向長さに対し、同一か僅かに短い。したがって、連結壁部３２は、ノズル本体２０の前側部分に掻き出し部材３０を装着すると、ノズル本体２０の筒状部２２の内周側を後方へ延びることになる。
【００２６】
各連結壁部３２の後端には、半円形状の掻き出し壁部３３が連設されている。掻き出し壁部３３の直径は、ノズル本体２０の筒状部２２の内径に対し、同一か僅かに小さい。したがって、ノズル本体２０への掻き出し部材３０の装着時に、掻き出し壁部３３はノズル本体２０の筒状部２２内側の後端面を覆うことになる。また、掻き出し壁部３３と連結壁部３２との間には、平面視直角三角形状の補強リブ３４が形成されている。
【００２７】
さらに、図１〜図３に示したように、ノズル本体２０の後側部分には、押出し部材４０が装着されている。押出し部材４０は、図６（ａ）〜図６（ｄ）に示すように、円板状の後壁部４１を有する。また、後壁部４１の外周縁には、内周面が断面円形状をなし、図４に示したノズル本体２０の筒状部２２の外径に対し、同一か僅かに大きい内径を有する押出し壁部４２が連設されている。すなわち、押出し壁部４２は、ノズル本体２０の筒状部２２後方領域の外周面上と筒状部２２前方領域の外周面上との間を前後方向にスライド可能である。
【００２８】
また、押出し壁部４２の上方には、ノズルを押圧する際の操作部４３が連設されている。後壁部４１には、ノズル本体２０のガイド壁部２３を挿入可能な円弧状のガイド孔部４４が形成されている。なお、操作部４３の左右角部には、前後方向に貫通する肉抜き穴４５が設けられている。
【００２９】
さらに、押出し壁部４２の下面後方領域には、略直方体形状の突起体４６が垂設されている。押出し壁部４２の下方には、前端から後方に向って延びるとともに、ノズル本体２０の各接続部２１を挿入可能なスリット４７が形成されている。このスリット４７により、押出し壁部４２をノズル本体２０の筒状部２２前方領域の外周面上までスライドさせた際の、各接続部２１と押出し壁部４２との干渉を回避している。
【００３０】
かかる構成によれば、図１〜図３に示したように、掻き出し部材３０のスライド壁部３１をノズル本体２０の筒状部２２前方領域の外周面上を後方にスライドさせて、スライド壁部３１で筒状部２２前方領域の外周面を覆うことで、掻き出し部材３０をノズル本体２０に装着することができる。そして、この装着状態において、図７（ａ）に示すように、掻き出し部材３０及びノズル本体２０により、各ステム５４側連通路２１ｃの上端に連通するとともに前方に噴射口Ｈを形成する、独立した２つの噴射口側連通路Ｐを形成することができる。
【００３１】
そして、図７（ａ）及び図２に示したように、押出し部材４０の押出し壁部４２をノズル本体２０の筒状部２２後方領域の外周面上にスライドさせた状態で、押出し部材４０の操作部４３を押圧することで、ノズル１を押下げて内容物を各噴射口Ｈから噴射することができる。
【００３２】
また、図７（ｂ）に示すように、押出し部材４０を前方へ押圧して、押出し壁部４２をノズル本体２０の筒状部２２前方領域の外周面上までスライドさせることにより、押出し壁部４２と掻き出し部材３０のスライド壁部３１とを介して掻き出し部材３０のスライド壁部３１を前方にスライドさせ、掻き出し部材３０を前方に押出すことができるため、図８に示すように、掻き出し部材３０をノズル本体２０から容易に取り外すことができる。
【００３３】
また、掻き出し部材３０の前方への押出し時には、スライド壁部３１に連結壁部３２を介して連設された掻き出し壁部３３によって、流路（噴射口側連通路Ｐ）内に残留した内容物（図示省略）を前方へ掻き出すことができる。
【００３４】
さらに、図８に示したように、押出し壁部４２がノズル本体２０の筒状部２２前方領域の外周面上にスライドした状態では、押出し壁部４２の下面後方領域に垂設された突起体４６がマウンティングカップ５２の上面（すなわち、突起部５５の上面）に当接するため、突起体４６を、ノズル本体２０の押下げを防止するストッパ部として機能させることができる。
【００３５】
次に、図９〜図１６を参照して、本発明の他の実施形態に係るエアゾール容器用ノズルについて詳細に例示説明する。
図９〜図１０に示すように、本例のエアゾール容器用ノズル１’は、ノズル本体２００と、掻き出し部材３００と、押出し部材４００とからなり、前掲図１〜８に示した例の場合と同様の、１つの容器のマウンティングカップから立ち上がる２つのステムを備えるエアゾール容器５０に装着して用いられるものである。また、本例では、エアゾール容器５０には、エアゾール容器５０のマウンティングカップ５２に固定される下側カバー部材（固定盤）７０と、下側カバー部材７０に装着される上側カバー部材８０とからなカバー部材６０’が装着されている。
【００３６】
下側カバー部材７０は、２つのステム５４を露出させる開口７１を残してマウンティングカップ５２に被さり、環状縁部５３の上面に当接するとともに環状縁部５３の周面下縁に着脱可能に係止される外壁部７２を備えている。ここで外壁部７２は、平面視が概略円形状となる有頂筒状の上段部７２ａと、上段部７２ａの下端より径方向外側に延在し、その外縁より垂下される中間段部７２ｂと、中間段部７２ｂの下端より径方向外側に延在し、その外縁より垂下される下段部７２ｃとを備えている。
【００３７】
上段部７２ａの中央部には、突起部５５の長手方向の両側面に当接する位置決め壁７２ｄが垂設されている。なお、開口７１は、平面視トラック状をなしている。中間段部７２ｂは、下方に向けて延伸する円筒壁７２ｅを有する。円筒壁７２ｅの内周面には、環状縁部５３の周面下縁に係止され、下側カバー部材７０をマウンティングカップ５２に固定する係止爪７２ｆが周設されている。
【００３８】
下段部７２ｃの周壁は、エアゾール容器５０の外周面よりもよりも径方向内側に寄っていて、更に、外向きの爪部７２ｇが下側カバー部材７０の軸線を挟んだ２箇所に設けられている。
【００３９】
上側カバー部材８０は、下側カバー部材７０の下段部７２ｃを内側に収めてエアゾール容器５０の外周面と略同径の外形を有する周壁部８１を備えている。周壁部８１の側面には、爪部７２ｇに係合する係合孔８２を形成した揺動片８３が設けられている。揺動片８３は、連結片８４によって前方及び後方で周壁部８１に連結されており、連結片８４よりも上方に位置する揺動片８３の上部域を内側に押圧すれば、揺動片８３は連結片８４を中心に揺動し、係合孔８２が外側に変位して爪部７２ｇとの係合が解除される。
【００４０】
また、周壁部８１の上側部分は、図９、図１０及び図１５に示したように、頂壁部８１ａが後方に切り欠きを有する角張ったドーム状をなしており、その切り欠きにヒンジ８５を介して操作部８６が回動可能に設けられている。また、ヒンジ８５及び操作部８６は、頂壁部８１ａとともに、回動軸（図示省略）を介して周壁部８１に対して回動可能になっている。そして、図１０に二点鎖線で示すような開放状態とすることで、上方からノズル１’を挿入してエアゾール容器５０に装着することができ、その後、図１０中に矢印で示すように頂壁部８１ａを回動させることで、図１０に実線で示すような閉鎖状態とすることができる。なお、８１ｂは、周壁部８１と係合する係止突起である。
【００４１】
頂壁部８１ａの下方には、頂壁部８１ａの下面と当接する受け面を有する天井壁部８１ｃが周壁部８１の上端縁に連設されている。周壁部８１の内側には、下側カバー部材７０の上段部７２ａに被さる内側底壁部８７が内側側壁部８８を介して天井壁部８１ｃに連設されている。内側底壁部８７の中央部には、後述するノズル本体２００の各接続部２０１が挿入される２つの開口部８７ａが形成されている。また、開口部８７ａの周囲には、下側カバー部材７０の上段部７２ａの上面に当接する内側壁部８８ａが内側底壁部８７から垂設されている。内側壁部８８ａの径方向外側には、内側周壁部８９が天井壁部８１ｃ及び内側底壁部８７から垂設され、下側カバー部材７０の中間段部７２ｂの上面に当接している。
【００４２】
エアゾール容器５０のマウンティングカップ５２から立ち上がる２つのステム５４には、ノズル本体２００の２つの接続部２０１が接続されている。各接続部２０１は円筒状をなしている。
【００４３】
また、接続部２０１の上端は、図１１（ａ）〜図１１（ｄ）に示すように、前後方向に延びる筒状部２０２に連設されている。接続部２０１の内側には、ステムに嵌合する嵌合部２０１ａから上方に延びるとともに筒状部２０２の内周側に繋がるステム側連通路２０１ｂが形成されている。
【００４４】
筒状部２０２は、前後方向に延びる断面トラック形状の後方周壁部２０２ａと、後方周壁部２０２ａの前端縁に連設されるとともに、後方周壁部２０２ａよりも拡径された断面トラック形状の前方周壁部２０２ｂと、後方周壁部２０２ａの後端を塞ぐ後端壁部２０２ｃとからなっている。後端壁部２０２ｃの前面は、筒状部２０２内側の後端面を形成している。後方周壁部２０２ａの内周面は、後方に向って縮径するテーパ状になっている。後方周壁部２０２ａの外周面には、上下左右の４箇所にそれぞれ前後方向にわたって延在するとともに前方周壁部２０２ｂの外周面と面一になる突条２０２ｄが突設されている。左右の突条２０２ｄには、押出し部材４００の後方への脱落を防止するための係止突起２０２ｅが形成されている。
【００４５】
図９〜図１０に示したように、ノズル本体２００の前側部分には、ノズル本体２００に着脱可能に設けられた掻き出し部材３００が装着されている。掻き出し部材３００は、図１２（ａ）〜図１２（ｄ）に示すように、図１１に示したノズル本体２００の前方周壁部２０２ｂの外周面に対して同一径又は僅かに大きい内径の断面トラック形状のスライド壁部３０１を有する。すなわち、スライド壁部３０１は、ノズル本体２００の前方周壁部２０２ｂ（又は筒状部２０２の前方領域）の外周面上を前後方向にスライド可能である。
【００４６】
スライド壁部３０１の内周側には、図１１に示したノズル本体２００の前方周壁部２０２ｂの内周面に対して同一外径又は僅かに小さい外径の内側周壁部３０１ａが設けられている。内側周壁部３０１ａの前端縁は、前壁部３０１ｂを介してスライド壁部３０１の前端縁に連設されている。内側周壁部３０１ａの内周側には、左右方向中央部において、内側周壁部３０１ａの上端から下端にわたって上下方向に延びる連結壁部３０２が連設されている。連結壁部３０２は、スライド壁部３０１の後端縁３０１ｃよりも後方へ延在しており、連結壁部３０２の前後方向長さは、ノズル本体２００の筒状部２０２の内側の前後方向長さに対し、同一か僅かに短い。
【００４７】
連結壁部３０２の後端には、トラック形状の掻き出し壁部３０３が連設されている。掻き出し壁部３０３は、ノズル本体２００の後方周壁部２０２ａの内側の後端面と同一寸法であるか、僅かに縮径した寸法になっている。したがって、ノズル本体２００への掻き出し部材３００の装着時に、掻き出し壁部３０３はノズル本体２００の筒状部２０２内側の後端面を覆うことになる。また、掻き出し壁部３０３と連結壁部３０２との間には、平面視直角三角形状の補強リブ３０４が形成されている。
【００４８】
さらに、図９〜図１０に示したように、ノズル本体２００の後側部分には、押出し部材４００が装着されている。押出し部材４００は、図１３（ａ）〜図１３（ｄ）に示すように、上部が切り欠かれたトラック形状の後壁部４０１と、後壁部４０１に連設され、前後方向に延びる断面トラック形状の押出し壁部４０２とからなる。押出し壁部４０２の後方部分の上部には、後壁部４０１の上端縁に繋がる開口部４０２ａが形成されている。また、押出し壁部４０２の上面には、上側カバー部材８０の操作部８６との当接部となる当接リブ４０２ｂ（突起）が２つ形成されている。
【００４９】
押出し壁部４０２の内周側左右の前側部分にはそれぞれ、前後方向に延びる溝４０２ｃが形成されている。各溝４０２ｃは、その後端に、図１１に示したノズル本体２００の係止突起２０２ｅを後方から乗越え抜け止め係止される係止部４０２ｄを残して形成されている。各係止部４０２ｄの後方には、後方に向って上下幅が拡大する側方スリット４０２ｅが形成されている。
【００５０】
押出し壁部４０２の下側部分には、押出し壁部４０２の前端から後側部分に至るまで切り欠かれた下方スリット４０２ｆが左右に並んで２つ形成されている。各下方スリット４０２ｆの左右方向の幅は、ノズル本体２００の接続部２０１の外径に対し、同一か僅かに大きい。また、各下方スリット４０２ｆの後端縁は、平面視半円形状をなしている。
【００５１】
押出し壁部４０２の内周面は、ノズル本体２００の前方周壁部２０２ｂの外周面に対し、同一の径寸法か、僅かに縮径した寸法になっている。すなわち、押出し壁部４０２は、ノズル本体２００の筒状部２０２後方領域の外周面上と筒状部２０２前方領域の外周面上との間を前後方向にスライド可能である。
【００５２】
かかる構成によれば、図９〜図１０に示したように、掻き出し部材３００のスライド壁部３０１をノズル本体２００の前方周壁部２０２ｂ（筒状部２０２前方領域）の外周面上を後方にスライドさせて、スライド壁部３０１で筒状部２０２前方領域の外周面を覆うことで、掻き出し部材３００をノズル本体２００に装着することができる。そして、この装着状態において、図１５（ａ）に示すように、掻き出し部材３００及びノズル本体２００により、各ステム５４側連通路２０１ｂの上端に連通するとともに前方に噴射口Ｈを形成する、独立した２つの噴射口側連通路Ｐを形成することができる。
【００５３】
そして、図１４に示すように、押出し部材４００の押出し壁部４０２をノズル本体２００の後方周壁部２０２ａ（筒状部２０２後方領域）の外周面上にスライドさせた状態で、上側カバー部材８０の操作部８６を押圧することで、操作部８６を当接リブ４０２ｂに当接させて、ノズル１’を押下げ、内容物を各噴射口Ｈから噴射することができる。
【００５４】
また、図１５（ｂ）に示すように、押出し部材４００を前方へ押圧して、押出し壁部４０２をノズル本体２００の前方周壁部２０２ｂ（筒状部２０２前方領域）の外周面上までスライドさせることにより、押出し壁部４０２と掻き出し部材３００のスライド壁部３０１とを介して掻き出し部材３００を前方に押出すことができるため、図１６に示すように、掻き出し部材３００をノズル本体２００から容易に取り外すことができる。
【００５５】
また、掻き出し部材３００の前方への押出し時には、スライド壁部３０１に連結壁部３０２を介して連設された掻き出し壁部３０３によって、流路（噴射口側連通路Ｐ）内に残留した内容物（図示省略）を前方へ掻き出すことができる。またその際、内側周壁部３０１ａに付着した残留物も同時に取り出すことができる。
【００５６】
さらに、図１６に示したように、押出し壁部４０２がノズル本体２００の筒状部２０２前方領域の外周面上にスライドした状態では、押出し壁部４０２の上面に立設された当接リブ４０２ｂ（突起）が押出し壁部４０２のスライドに伴い前方に移動しているため、上側カバー部材８０の操作部８６を押圧しても、当接リブ４０２ｂは操作部８６と当接することはない。したがって、当接リブ４０２ｂを、ノズル本体２００の押下げを防止するストッパ部として機能させることができる。
【００５７】
上述したところは、本発明の一実施形態を示したにすぎず、特許請求の範囲において、種々の変更を加えることができる。例えば、上述した例ではいずれも、エアゾール容器５０として１つの容器のマウンティングカップから立ち上がる２つのステムを備えるエアゾール容器を用いる場合について説明したが、２つの容器のマウンティングカップからそれぞれ１つずつ立ち上がる総計２つのステムを備える２連式エアゾール容器を用いてもよい。
【００５８】
また、１つの容器のマウンティングカップから立ち上がる１つのステムに接続されるシングル式エアゾール容器を用いることも可能である。この場合には、例えば、ノズル本体には左右方向中央に接続部を１つ設ければよく、図８を用いて説明した例では、突起体４６の前後方向の幅を縮小して接続部２１との接触を避けるようにすることができ、図１６を用いて説明した例では、下方スリット４０２ｆを左右方向中央に１つ設けて接続部２０１を挿入することができる。
【符号の説明】
【００５９】
１，１’  エアゾール容器用ノズル
２０  ノズル本体
２１ａ  抜け止め突起
２１  接続部
２１ｂ  嵌合部
２１ｃ  ステム側連通路
２２  筒状部
２２ａ  周壁部
２２ｂ  後端壁部
２２ｃ  中央縦壁部
２３  ガイド壁部
２３ａ  スリット
３０  掻き出し部材
３１  スライド壁部
３１ａ  後端縁
３２  連結壁部
３２ａ  隙間
３２ｂ  連結片
３３  掻き出し壁部
３４  補強リブ
４０  押出し部材
４１  後壁部
４２  押出し壁部
４３  操作部
４４  ガイド孔部
４５  肉抜き穴
４６  突起体（ストッパ部）
４７  スリット
５０  エアゾール容器
５１  容器本体
５２  マウンティングカップ
５３  環状縁部
５４  ステム
５５  突起部
６０，６０’  カバー部材
６１  周壁
６２  開口
６３  下壁
６４  外壁
６５  内壁
６６  位置決め壁
６７  側壁
６７ａ  抜け止め溝
７０  下側カバー部材
７１  開口
７２  外壁部
７２ａ  上段部
７２ｂ  中間段部
７２ｃ  下段部
７２ｄ  位置決め壁
７２ｅ  円筒壁
７２ｆ  係止爪
７２ｇ  爪部
８０  上側カバー部材
８１  周壁部
８１ａ  頂壁部
８１ｂ  係止突起
８１ｃ  天井壁部
８２  係合孔
８３  揺動片
８４  連結片
８５  ヒンジ
８６  操作部
８７  内側底壁部
８７ａ  開口部
８８  内側側壁部
８８ａ  内側壁部
８９  内側周壁部
２００  ノズル本体
２０１  接続部
２０１ａ  嵌合部
２０１ｂ  ステム側連通路
２０２  筒状部
２０２ａ  後方周壁部
２０２ｂ  前方周壁部
２０２ｃ  後端壁部
２０２ｄ  突条
２０２ｅ  係止突起
３００  掻き出し部材
３０１  スライド壁部
３０１ａ  内側周壁部
３０１ｂ  前壁部
３０１ｃ  後端縁
３０２  連結壁部
３０３  掻き出し壁部
３０４  補強リブ
４００  押出し部材
４０１  後壁部
４０２  押出し壁部
４０２ａ  開口部
４０２ｂ  当接リブ（突起）
４０２ｃ  溝
４０２ｄ  係止部
４０２ｅ  側方スリット
４０２ｆ  下方スリット
Ｈ  噴射口
Ｐ  噴射口側連通路
【図１】
2014234191.tif 000003
【図２】
2014234191.tif 000004
【図３】
2014234191.tif 000005
【図４】
2014234191.tif 000006
【図５】
2014234191.tif 000007
【図６】
2014234191.tif 000008
【図７】
2014234191.tif 000009
【図８】
2014234191.tif 000010
【図９】
2014234191.tif 000011
【図１０】
2014234191.tif 000012
【図１１】
2014234191.tif 000013
【図１２】
2014234191.tif 000014
【図１３】
2014234191.tif 000015
【図１４】
2014234191.tif 000016
【図１５】
2014234191.tif 000017
【図１６】
2014234191.tif 000018